【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
複数の電圧プラトーを有する再充電可能バッテリを充電する方法であって、該バッテリは、その最高電圧プラトーよりも小さい電圧ＶＢａｔｔを有し、
該方法は、
第１の充電電流Ｉ１を用いて該バッテリを充電することであって、該第１の充電電流Ｉ１は、該バッテリが電圧Ｖ１に充電されるまで印加される、ことと、
該バッテリの電圧がＶ１であるときに、該第１の充電電流Ｉ１を制御することであって、該制御することにより、該バッテリの電圧がＶ１の約±２０％以下の偏差を伴うＶ１に維持される、ことと
を含み、
電圧Ｖ１は、ＶＢａｔｔよりも高い電圧プラトーＶＰと関連付けられる自然分極ピークの電圧ＶＰＰよりも小さく、Ｖ１は、該電圧プラトーＶＰよりも大きい、方法。
【請求項２】
第２の充電電流Ｉ２を用いて前記バッテリを充電することであって、該第２の充電電流Ｉ２は、前記第１の充電電流Ｉ１の後に、前記バッテリ電圧が電圧Ｖ２に到達するまで印加され、該電圧Ｖ２は、ＶＰよりも大きく、ＶＰＰよりも小さい、ことと、
該バッテリの電圧がＶ２に到達すると、該第２の充電電流Ｉ２を制御することであって、該制御することにより、該バッテリの電圧が、Ｖ２の約±２０％以下の偏差を伴うＶ２に維持される、ことと
をさらに含む、請求項１に記載の方法。
【請求項３】
前記第２の充電電流Ｉ２は、少なくとも前記バッテリが該バッテリの定格容量の約８０％から約１５０％までのＳＯＣに充電されるまで、印加される、請求項２に記載の方法。
【請求項４】
Ｉ１は、前記バッテリが電圧Ｖ１に充電されるまで、実質的に一定である、請求項１−３のうちのいずれか一項に記載の方法。
【請求項５】
Ｉ２は、前記バッテリが電圧Ｖ２に充電されるまで、実質的に一定である、請求項４に記載の方法。
【請求項６】
前記第１の充電電流Ｉ１は、前記バッテリの初期ＳＯＣがその定格容量の４０％未満であるときに、約１分間から約３００分間までの期間で、該バッテリを電圧Ｖ１に充電することに十分である、請求項１−５のうちのいずれか一項に記載の方法。
【請求項７】
前記第１の充電電流Ｉ１は、前記バッテリを、その定格容量の３０％未満のＳＯＣから、その定格容量の約３０％から約４０％までのＳＯＣまで、約２４０分間以下で充電することに十分である、請求項１−５のうちのいずれか一項に記載の方法。
【請求項８】
前記第１の充電電流Ｉ１は、前記バッテリを、その定格容量の約３０％未満のＳＯＣから、その定格容量の約４０％のＳＯＣまで、約２４０分間以下で充電することに十分である、請求項１−５または７のうちのいずれか一項に記載の方法。
【請求項９】
前記第１の充電電流Ｉ１は、前記バッテリの前記電圧がＶ１であるときに、該バッテリの該電圧が、約６秒間から約１５００秒間までの期間の間、Ｖ１の約±２０％以下の偏差を伴うＶ１に維持されるように、制御される、請求項１−８のうちのいずれか一項に記載の方法。
【請求項１０】
前記バッテリの前記電圧が、約６秒間から約１２００秒間までの期間の間、Ｖ１の約±２０％以下の偏差を伴うＶ１に維持された後に、前記第１の充電電流Ｉ１を終了させることと、
該第１の充電電流Ｉ１が終了すると、第２の充電電流Ｉ２を印加することと
をさらに含む、請求項２−９のうちのいずれか一項に記載の方法。
【請求項１１】
Ｉ１は、前記バッテリがＶ１の電圧に充電される前の期間の間、Ｉ２以上である、請求項５に記載の方法。
【請求項１２】
Ｖ１は、Ｖ２以上である、請求項２−１１のうちのいずれか一項に記載の方法。
【請求項１３】
ＶＢａｔｔは、前記電圧Ｖ１の約５０％から約８７％までである、請求項１−１２のうちのいずれか一項に記載の方法。
【請求項１４】
Ｉ１は、約５００アンペア以下である、請求項１−１３のうちのいずれか一項に記載の方法。
【請求項１５】
Ｉ１は、約１００ｍＡから約５００アンペアまでである、請求項１−１４のうちのいずれか一項に記載の方法。
【請求項１６】
Ｉ２は、約５００アンペア以下である、請求項２−１５のうちのいずれか一項に記載の方法。
【請求項１７】
Ｉ２は、約１００ｍＡから約５００アンペアまでである、請求項２−１６のうちのいずれか一項に記載の方法。
【請求項１８】
前記バッテリは、約１Ａｈから約１０００Ａｈまでの定格容量を有する、請求項１−１７のうちのいずれか一項に記載の方法。
【請求項１９】
Ｉ１は、約５００ｍＡ以下である、請求項１−１３のうちのいずれか一項に記載の方法。
【請求項２０】
Ｉ１は、約２０ｍＡから約５００ｍＡまでである、請求項１−１３または１９のうちのいずれか一項に記載の方法。
【請求項２１】
Ｉ２は、約５００ｍＡ以下である、請求項２−１３、１９、または２０のうちのいずれか一項に記載の方法。
【請求項２２】
Ｉ２は、約２０ｍＡから約５００ｍＡまでである、請求項２−１３または１９−２１のうちのいずれか一項に記載の方法。
【請求項２３】
前記バッテリは、約２００ｍＡｈから約１Ａｈまでの定格容量を有する、請求項２−１３または１９−２２のうちのいずれか一項に記載の方法。
【請求項２４】
Ｉ１は、約５０ｍＡ以下である、請求項１−１３のうちのいずれか一項に記載の方法。
【請求項２５】
Ｉ１は、約５ｍＡから約５０ｍＡまでである、請求項１−１３または２４のうちのいずれか一項に記載の方法。
【請求項２６】
Ｉ２は、約５０ｍＡ以下である、請求項２−１３、２４、または２５のうちのいずれか一項に記載の方法。
【請求項２７】
Ｉ２は、約５ｍＡから約５０ｍＡまでである、請求項２−１３または２４−２６のうちのいずれか一項に記載の方法。
【請求項２８】
前記バッテリは、約５０ｍＡｈから約２００ｍＡｈまでの定格容量を有する、請求項１−１３または２４−２７のうちのいずれか一項に記載の方法。
【請求項２９】
Ｉ１は、約２５ｍＡ以下である、請求項１−１３のうちのいずれか一項に記載の方法。
【請求項３０】
Ｉ１は、約４ｍＡから約２５ｍＡまでである、請求項１−１３または２９のうちのいずれか一項に記載の方法。
【請求項３１】
Ｉ２は、約２５ｍＡ以下である、請求項２−１３、２９、または３０のうちのいずれか一項に記載の方法。
【請求項３２】
Ｉ２は、約４ｍＡから約２５ｍＡまでである、請求項２−１３または２９−３１のうちのいずれか一項に記載の方法。
【請求項３３】
前記バッテリは、約４ｍＡｈから約５０ｍＡｈまでの定格容量を有する、請求項１−１３または２９−３２のうちのいずれか一項に記載の方法。
【請求項３４】
Ｉ１は、約２ｍＡ以下である、請求項１−１３のうちのいずれか一項に記載の方法。
【請求項３５】
Ｉ１は、約１０μＡから約２ｍＡまでである、請求項１−１３または３４のうちのいずれか一項に記載の方法。
【請求項３６】
Ｉ２は、約２ｍＡ以下である、請求項２−１３、３４、または３５のうちのいずれか一項に記載の方法。
【請求項３７】
Ｉ２は、約１０μＡから約２ｍＡまでである、請求項２−１３または３４−３６のうちのいずれか一項に記載の方法。
【請求項３８】
前記バッテリは、約１ｍＡｈから約４ｍＡｈまでの定格容量を有する、請求項２−１３または３４−３７のうちのいずれか一項に記載の方法。
【請求項３９】
前記電圧Ｖ２は、Ｖ１の約９０％から約１００％までである、請求項１−３８のうちのいずれか一項に記載の方法。
【請求項４０】
Ｖ１は、約２．０４Ｖ以下である、請求項１−３９のうちのいずれか一項に記載の方法。
【請求項４１】
Ｖ２は、約２．０３Ｖ以下である、請求項２−４０のうちのいずれか一項に記載の方法。
【請求項４２】
前記方法は、クーロンをカウントすることを除外する、請求項１−４１のうちのいずれか一項に記載の方法。
【請求項４３】
電気信号を生成することをさらに含み、該電気信号は、前記バッテリがＶ２の電圧に充電された後、ＶＢａｔｔが１秒間以上の期間の間、ＶＰよりも低い場合に、該バッテリにおける弱い短絡を示す、請求項１−４２のうちのいずれか一項に記載の方法。
【請求項４４】
約３０秒間未満の期間の間、診断充電電流ＩＤｉａｇを用いて前記バッテリを充電することと、該バッテリの前記電圧ＶＢａｔｔを検出することと、ＶＢａｔｔが約１．６５Ｖ以下である場合に該バッテリの充電を終了させることとをさらに含む、請求項１−４３のうちのいずれか一項に記載の方法。
【請求項４５】
ＩＤｉａｇは、Ｉ１以上である、請求項４４に記載の方法。
【請求項４６】
約１０秒未満の期間の間、Ｉ１よりも約１０％から約２００％までだけ高い診断充電電流ＩＤｉａｇを用いて前記バッテリを充電することと、該バッテリの前記電圧ＶＢａｔｔを検出することと、ＶＢａｔｔが約１．６０Ｖ以下である場合に該バッテリの充電を終了させることとをさらに含む、請求項１−４５のうちのいずれか一項に記載の方法。
【請求項４７】
再充電可能銀亜鉛バッテリを検出する方法であって、該方法は、約６０秒間未満の期間の間、診断充電電流ＩＤｉａｇを用いてバッテリを充電することと、該バッテリの電圧ＶＢａｔｔを検出することと、ＶＢａｔｔが約１．６０Ｖ以下である場合に該バッテリの充電を終了させることとを含み、ＩＤｉａｇは、約２５ｍＡ以下である、方法。
【請求項４８】
前記バッテリは、該バッテリの前記電圧ＶＢａｔｔを検出し、ＶＢａｔｔが約１．６０Ｖ以下である場合に電気信号を生成しつつ、約７秒以下の期間の間、ＩＤｉａｇを用いて充電され、ＩＤｉａｇは、約２０ｍＡから約２５ｍＡまで、または約１０ｍＡ以下である、請求項４７に記載の方法。
【請求項４９】
前記電気信号は、音声アラーム、視覚アラーム、振動アラーム、またはそれらの任意の組み合わせを起動する、請求項４８に記載の方法。
【請求項５０】
複数の電圧プラトーを有する再充電可能バッテリを充電する方法であって、該バッテリは、第１の逐次電圧プラトーの電圧ＶＰ１の約８０％未満であるＯＣＶを有し、
該方法は
充電バッテリの電圧が、ＶＢａｔｔよりも大きい該第１の逐次電圧プラトーＶＰ１に到達した後、約１２０分間以下の期間の間、実質的に一定である回復充電電流Ｉｒｅｃｏｖを用いて該バッテリを充電することと、
第１の充電電流Ｉ１を用いて該バッテリを充電することであって、該第１の充電電流Ｉ１は、該バッテリが電圧Ｖ１に充電されるまで実質的に一定である、ことと、
該バッテリの電圧が電圧Ｖ１に到達すると、該バッテリの該電圧が、約６秒間から約９００秒間までの期間の間、Ｖ１の約±２０％以下の偏差を伴うＶ１に維持されるように、該第１の充電電流Ｉ１を制御することと
を含み、
電圧Ｖ１は、ＶＰ１よりも高い電圧プラトーＶＰに対する自然分極ピークの電圧ＶＰＰよりも小さく、Ｖ１は、該電圧プラトーＶＰよりも大きい、方法。
【請求項５１】
Ｉｒｅｃｏｖは、Ｉ１の約５％から約９０％までである、請求項５０に記載の方法。
【請求項５２】
前記充電バッテリの電圧ＶＢａｔｔが、ＶＢａｔｔよりも大きい前記第１の逐次電圧プラトーＶＰ１に到達した後、約３０分間以下の期間の間、実質的に一定である回復充電電流Ｉｒｅｃｏｖを用いて該バッテリを充電することと、
該バッテリが該バッテリの定格容量の約１００−１２０％のＳＯＣに充電されたときに、変調された第２の充電電流を停止すること、または、
充電電流Ｉ２を停止することであって、該充電電流が約５分間以下の期間の間、１．０ｍＡを下回るときに、停止することと、
をさらに含み、
該電圧は、±１％の偏差を有し、電流アンペア数は、±２％の偏差を有し、温度測定精度は、±５℃以下の偏差を有し、計測時間は、±２％の偏差を有する、請求項６１に記載の方法。
【請求項５３】
約３０分間から約２時間までの期間の間、Ｉｒｅｃｏｖを用いて充電された後に、前記バッテリの前記電圧ＶＢａｔｔが、ＶＢａｔｔよりも大きい前記第１の逐次電圧プラトーＶＰ１に到達できない場合に、電気信号を生成することをさらに含む、請求項５２に記載の方法。
【請求項５４】
請求項２−４５のうちのいずれか一項に記載の前記バッテリを充電することをさらに含む、請求項５２に記載の方法。
【請求項５５】
前記再充電可能バッテリは、ボタン電池、コイン電池、円筒電池、または角柱電池を備える、請求項１−５４のうちのいずれか一項に記載の方法。
【請求項５６】
前記第２の充電電流Ｉ２が終了すると、電気信号を生成することをさらに含む、請求項２−５５のうちのいずれか一項に記載の方法。
【請求項５７】
前記第２の充電電流Ｉ２が終了すると、視覚信号を起動すること、音声信号を起動すること、振動信号を起動すること、またはそれらの任意の組み合わせをさらに含む、請求項５６に記載の方法。
【請求項５８】
再充電可能バッテリを充電する方法であって、該再充電可能バッテリは、複数の電圧プラトー、およびその定格容量の５０％よりも大きい初期ＳＯＣを有し、該バッテリは、その最高電圧プラトー以下である電圧ＶＢａｔｔを有しており、
該方法は、
該バッテリが電圧Ｖ２に充電されるまで、実質的に一定の充電電流Ｉ２を用いて該バッテリを充電することと、
該バッテリの電圧がＶ２の約±２０％以下の偏差を伴うＶ２に維持されるように、充電電流Ｉ２を制御することと
を含み、
電圧Ｖ２は、電圧プラトーの電圧ＶＰよりも大きく、自然分極ピークの電圧ＶＰＰよりも小さい、方法。
【請求項５９】
前記充電電流Ｉ２がＩｔｅｒに到達すると、Ｉ２を終了させることをさらに含み、Ｉｔｅｒは、前記バッテリがＶ２に充電されていた期間の間、Ｉ２の約８５％以下である、請求項５８に記載の方法。
【請求項６０】
前記充電電流Ｉ２がＩｔｅｒに到達すると、Ｉ２を終了させることをさらに含み、Ｉｔｅｒは、前記バッテリがＶ２に充電されていた前記期間の間、Ｉ２の約７５％以下である、請求項５９に記載の方法。
【請求項６１】
前記充電電流Ｉ２は、前記バッテリがＶ２に充電されているとき、約６ｍＡである、請求項６０に記載の方法。
【請求項６２】
１．６５Ｖ未満のＯＣＶを有する再充電可能な２．０Ｖ銀亜鉛バッテリを充電する方法であって、
該方法は、
１０ｍＡ以下のアンペア数を有する第１の充電電流Ｉ１を用いて該バッテリを充電することと、
該バッテリが１．９０Ｖの電圧に充電されると、時間を計測することと、
該バッテリの電圧が２．０３Ｖ以下に制限され、該第１の充電電流Ｉ１が約１０．０ｍＡ以下の最大アンペア数を有するように、該第１の充電電流Ｉ１を変調することと、
２０分間が計測されると、該第１の充電電流Ｉ１を用いた該バッテリの該充電を停止することと、
第２の充電電流Ｉ２を用いて該バッテリを充電することであって、該充電電流Ｉ２は、該バッテリの電圧が２．０Ｖ以下に制限され、該第２の充電電流が約１０．０ｍＡ以下の最大アンペア数を有するように、変調される、ことと、
該変調された第２の充電電流Ｉ２を停止することであって、該充電電流のアンペア数が、６０秒間以下の連続期間の間、終了電流Ｉ２ｅｎｄのアンペア数未満であると、該停止することが行われ、該バッテリは、該バッテリの定格容量の約８０−１５０％のＳＯＣに充電され、ここで、
Ｉ２ｅｎｄ＝ＩＣｈｇ＋ＩＴｅｍｐ
であり、ＩＣｈｇは、充電補償電流であり、ＩＴｅｍｐは、温度補償電流であり、ＩＣｈｇ＝（Ｔ２×Ｉ１）／ＴＣｈｇであり、Ｔ２は、該充電電流が１．９０Ｖに到達すると始まり、該充電電流がＩ２未満の値に変調し始めると終了する、時間単位の積分時間であり、Ｔｃｈｇは、各々のバッテリサイズおよび構造について決定される電池時定数である、こと、
または、
充電電流Ｉ２を停止することであって、該充電電流が約５分間以下の期間の間、１．０ｍＡを下回ると停止する、ことと
を含み、
該電圧は、±１％の偏差を有し、電流アンペア数は、±２％の偏差を有し、温度測定精度は、±５℃以下の偏差を有し、計測時間は、±２％の偏差を有する、方法。
【請求項６３】
温度を測定することをさらに含み、前記温度測定精度は、±２℃の偏差を有する、請求項６２に記載の方法。
【請求項６４】
前記バッテリの前記電圧は、充電前には約１．２５Ｖよりも大きい、請求項６２または６３のいずれか一項に記載の方法。
【請求項６５】
前記バッテリの前記電圧は、充電前には約１．２５Ｖ未満である、請求項６２または６３のいずれか一項に記載の方法。
【請求項６６】
少なくとも３０分間の期間の間、１．０ｍＡの回復充電電流Ｉｒｅｃｏｖを用いて前記バッテリを充電することと、
該バッテリが１．６０Ｖの電圧に充電されると、該回復充電電流Ｉｒｅｃｏｖを停止することと
をさらに含む、請求項６５に記載の方法。
【請求項６７】
１．６５Ｖよりも大きいＯＣＶを有する再充電可能な２．０Ｖ銀亜鉛バッテリを充電する方法であって、
該方法は、
変調された充電電流Ｉ２を用いて該バッテリを充電することであって、該充電電流Ｉ２は、該バッテリの電圧が２．０Ｖ以下（例えば、１．９８Ｖ）に制限され、該充電電流が約６．０ｍＡ以下の最大アンペア数Ｉｍａｘを有するように、変調される、ことと、
充電が開始した後、時間１５秒を計測することと、
時間が計測されている場合に、充電電流Ｉ２のアンペア数を測定することと、
時間が計測されている場合に、連続５秒間以上の期間の間、Ｉ２の該アンペア数がＩｍａｘであるならば、Ｉ２の該アンペア数が連続６０秒間の期間の間、Ｉ２ｅｎｄを下回ると、充電電流Ｉ２を停止することであって、Ｉ２ｅｎｄは、該バッテリがその定格容量の約１００％から１５０％までのＳＯＣに充電されるとき、温度依存性の終了充電電流レベルである、こと、
または、
該バッテリが約１００％から１５０％までのＳＯＣに充電されると、時間が計測されている場合に、連続５秒間未満の期間の間、Ｉ２の該アンペア数がＩｍａｘであると、充電電流Ｉ２を停止することであって、該充電電流は、該バッテリの定格容量の５０％がカウントされるまで積分される、こと、
または、
該時間計測が完了した後に、約５分間以下の期間の間、Ｉ２の該アンペア数が１．０ｍＡを下回ると、充電電流Ｉ２を停止することと
含む、方法。
【請求項６８】
放電中の再充電可能銀亜鉛バッテリを検出する方法であって、
該方法は、
バッテリ電圧ＶＢａｔｔが１．４Ｖから１．１５Ｖまでの間にあるときに、バッテリにおける単位時間当たりの平均バッテリ放電電圧の変化を測定することと、
該変化が、３０分間以下の期間の間、６０ｍＶ以上ではない場合に、電気信号を生成することと
を含む、方法。
【手続補正２】
【補正対象書類名】明細書
【補正対象項目名】００７９
【補正方法】変更
【補正の内容】
【００７９】
本発明のある側面が、添付図面を参照して、一例として説明される。
（項目１）
複数の電圧プラトーを有する再充電可能バッテリを充電する方法であって、該バッテリは、その最高電圧プラトーよりも小さい電圧ＶＢａｔｔを有し、
該方法は、
第１の充電電流Ｉ１を用いて該バッテリを充電することであって、該第１の充電電流Ｉ１は、該バッテリが電圧Ｖ１に充電されるまで印加される、ことと、
該バッテリの電圧がＶ１であるときに、該第１の充電電流Ｉ１を制御することであって、該制御することにより、該バッテリの電圧がＶ１の約±２０％以下の偏差を伴うＶ１に維持される、ことと
を含み、
電圧Ｖ１は、ＶＢａｔｔよりも高い電圧プラトーＶＰと関連付けられる自然分極ピークの電圧ＶＰＰよりも小さく、Ｖ１は、該電圧プラトーＶＰよりも大きい、方法。
（項目２）
第２の充電電流Ｉ２を用いて前記バッテリを充電することであって、該第２の充電電流Ｉ２は、前記第１の充電電流Ｉ１の後に、前記バッテリ電圧が電圧Ｖ２に到達するまで印加され、該電圧Ｖ２は、ＶＰよりも大きく、ＶＰＰよりも小さい、ことと、
該バッテリの電圧がＶ２に到達すると、該第２の充電電流Ｉ２を制御することであって、該制御することにより、該バッテリの電圧が、Ｖ２の約±２０％以下の偏差を伴うＶ２に維持される、ことと
をさらに含む、項目１に記載の方法。
（項目３）
前記第２の充電電流Ｉ２は、少なくとも前記バッテリが該バッテリの定格容量の約８０％から約１５０％までのＳＯＣに充電されるまで、印加される、項目２に記載の方法。
（項目４）
Ｉ１は、前記バッテリが電圧Ｖ１に充電されるまで、実質的に一定である、項目１−３のうちのいずれか一項に記載の方法。
（項目５）
Ｉ２は、前記バッテリが電圧Ｖ２に充電されるまで、実質的に一定である、項目４に記載の方法。
（項目６）
前記第１の充電電流Ｉ１は、前記バッテリの初期ＳＯＣがその定格容量の４０％未満であるときに、約１分間から約３００分間までの期間で、該バッテリを電圧Ｖ１に充電することに十分である、項目１−５のうちのいずれか一項に記載の方法。
（項目７）
前記第１の充電電流Ｉ１は、前記バッテリの初期ＳＯＣがその定格容量の４０％未満であるときに、約５分間から約２４０分間までの期間で、該バッテリをＶ１の電圧に充電することに十分である、項目１−６のうちのいずれか一項に記載の方法。
（項目８）
前記第１の充電電流Ｉ１は、前記バッテリの初期ＳＯＣがその定格容量の４０％未満であるときに、約１０分間から約９０分間までの期間で、該バッテリをＶ１の電圧に充電することに十分である、項目１−７のうちのいずれか一項に記載の方法。
（項目９）
前記第１の充電電流Ｉ１は、前記バッテリの初期ＳＯＣがその定格容量の４０％未満であるときに、約７５分間以下の期間で、該バッテリをＶ１の電圧に充電することに十分である、項目１−５のうちのいずれか一項に記載の方法。
（項目１０）
前記第１の充電電流Ｉ１は、前記バッテリを、その定格容量の３０％未満のＳＯＣから、その定格容量の約３０％から４０％までのＳＯＣまで、約２４０分間以下で充電することに十分である、項目１−５のうちのいずれか一項に記載の方法。
（項目１１）
前記第１の充電電流Ｉ１は、前記バッテリを、その定格容量の３０％未満のＳＯＣから、その定格容量の約４０％のＳＯＣまで、約２４０分間以下で充電することに十分である、項目１−５または１０のうちのいずれか一項に記載の方法。
（項目１２）
前記第１の充電電流Ｉ１は、前記バッテリの前記電圧がＶ１であるときに、該バッテリの該電圧が、約６秒間から約１５００秒間までの期間の間、Ｖ１の約±２０％以下の偏差を伴うＶ１に維持されるように、制御される、項目１−１１のうちのいずれか一項に記載の方法。
（項目１３）
前記バッテリの前記電圧が、約６秒間から約１２００秒間までの期間の間、Ｖ１の約±２０％以下の偏差を伴うＶ１に維持された後に、前記第１の充電電流Ｉ１を終了させることと、
該第１の充電電流Ｉ１が終了すると、第２の充電電流Ｉ２を印加することと
をさらに含む、項目２−１２のうちのいずれか一項に記載の方法。
（項目１４）
前記バッテリの前記電圧がＶ１に到達すると、該バッテリの該電圧が、約５秒間から約６００秒間までの期間の間、Ｖ１の約±１０％以下の偏差を伴うＶ１に維持されるように、前記第１の充電電流Ｉ１を制御することをさらに含む、項目１３に記載の方法。
（項目１５）
Ｉ１は、前記バッテリがＶ１の電圧に充電される前の期間の間、Ｉ２以上である、項目５に記載の方法。
（項目１６）
Ｖ１は、Ｖ２以上である、項目２−１５のうちのいずれか一項に記載の方法。
（項目１７）
ＶＢａｔｔは、前記電圧Ｖ１の約５０％から約８７％までである、項目１−１６のうちのいずれか一項に記載の方法。
（項目１８）
Ｉ１は、約５００アンペア以下である、項目１−１７のうちのいずれか一項に記載の方法。
（項目１９）
Ｉ１は、約１００ｍＡから約５００アンペアまでである、項目１−１８のうちのいずれか一項に記載の方法。
（項目２０）
Ｉ２は、約５００アンペア以下である、項目２−１９のうちのいずれか一項に記載の方法。
（項目２１）
Ｉ２は、約１００ｍＡから約５００アンペアまでである、項目２−２０のうちのいずれか一項に記載の方法。
（項目２２）
前記バッテリは、約１Ａｈから約１０００Ａｈまでの定格容量を有する、項目１−２１のうちのいずれか一項に記載の方法。
（項目２３）
Ｉ１は、約５００ｍＡ以下である、項目１−１７のうちのいずれか一項に記載の方法。
（項目２４）
Ｉ１は、約２０ｍＡから約５００ｍＡまでである、項目１−１７または２３のうちのいずれか一項に記載の方法。
（項目２５）
Ｉ２は、約５００ｍＡ以下である、項目２−１７、２３、または２４のうちのいずれか一項に記載の方法。
（項目２６）
Ｉ２は、約２０ｍＡから約５００ｍＡまでである、項目２−１７または２３−２５のうちのいずれか一項に記載の方法。
（項目２７）
前記バッテリは、約２００ｍＡｈから約１Ａｈまでの定格容量を有する、項目１−１７または２３−２６のうちのいずれか一項に記載の方法。
（項目２８）
Ｉ１は、約５０ｍＡ以下である、項目１−１７のうちのいずれか一項に記載の方法。
（項目２９）
Ｉ１は、約５ｍＡから約５０ｍＡまでである、項目１−１７または２８のうちのいずれか一項に記載の方法。
（項目３０）
Ｉ２は、約５０ｍＡ以下である、項目２−１７、２８、または２９のうちのいずれか一項に記載の方法。
（項目３１）
Ｉ２は、約５ｍＡから約５０ｍＡまでである、項目２−１７または２８−３０のうちのいずれか一項に記載の方法。
（項目３２）
前記バッテリは、約５０ｍＡｈから約２００ｍＡｈまでの定格容量を有する、項目１−１７または２８−３１のうちのいずれか一項に記載の方法。
（項目３３）
Ｉ１は、約２５ｍＡ以下である、項目１−１７のうちのいずれか一項に記載の方法。
（項目３４）
Ｉ１は、約４ｍＡから約２５ｍＡまでである、項目１−１７または３３のうちのいずれか一項に記載の方法。
（項目３５）
Ｉ２は、約２５ｍＡ以下である、項目２−１７、３３、または３４のうちのいずれか一項に記載の方法。
（項目３６）
Ｉ２は、約４ｍＡから約２５ｍＡまでである、項目２−１７または３３−３５のうちのいずれか一項に記載の方法。
（項目３７）
前記バッテリは、約４ｍＡｈから約５０ｍＡｈまでの定格容量を有する、項目１−１７または３３−３６のうちのいずれか一項に記載の方法。
（項目３８）
Ｉ１は、約２ｍＡ以下である、項目１−１７のうちのいずれか一項に記載の方法。
（項目３９）
Ｉ１は、約１０μＡから約２ｍＡまでである、項目１−１７または３８のうちのいずれか一項に記載の方法。
（項目４０）
Ｉ２は、約２ｍＡ以下である、項目２−１７、３８、または３９のうちのいずれか一項に記載の方法。
（項目４１）
Ｉ２は、約１０μＡから約２ｍＡまでである、項目２−１７または３８−４０のうちのいずれか一項に記載の方法。
（項目４２）
前記バッテリは、約１ｍＡｈから約４ｍＡｈまでの定格容量を有する、項目２−１７または３８−４１のうちのいずれか一項に記載の方法。
（項目４３）
前記電圧Ｖ２は、Ｖ１の約９０％から約１００％までである、項目１−４２のうちのいずれか一項に記載の方法。
（項目４４）
Ｖ１は、約２．０４Ｖ以下である、項目１−４３のうちのいずれか一項に記載の方法。
（項目４５）
Ｖ１は、約１．９６Ｖから約２．０４Ｖまでである、項目１−４４のうちのいずれか一項に記載の方法。
（項目４６）
Ｖ２は、約２．０３Ｖ以下である、項目２−４４のうちのいずれか一項に記載の方法。
（項目４７）
Ｖ２は、約１．９３Ｖから約２．０３Ｖまでである、項目２−４４または４６のうちのいずれか一項に記載の方法。
（項目４８）
前記方法は、クーロンをカウントすることを除外する、項目１−４７のうちのいずれか一項に記載の方法。
（項目４９）
電気信号を生成することをさらに含み、該電気信号は、前記バッテリがＶ２の電圧に充電された後、ＶＢａｔｔが１秒間以上の期間の間、ＶＰよりも低い場合に、該バッテリにおける弱い短絡を示す、項目１−４８のうちのいずれか一項に記載の方法。
（項目５０）
約３０秒間未満の期間の間、診断充電電流ＩＤｉａｇを用いて前記バッテリを充電することと、該バッテリの前記電圧ＶＢａｔｔを検出することと、ＶＢａｔｔが約１．６５Ｖ以下である場合に該バッテリの充電を終了させることとをさらに含む、項目１−４９のうちのいずれか一項に記載の方法。
（項目５１）
ＩＤｉａｇは、Ｉ１以上である、項目５０に記載の方法。
（項目５２）
ＩＤｉａｇは、Ｉ１よりも約５％から約２００％までだけ大きい、項目５１に記載の方法。
（項目５３）
ＩＤｉａｇは、Ｉ１よりも約３０％から約１００％までだけ大きい、項目５２に記載の方法。
（項目５４）
ＩＤｉａｇは、Ｉ１にほぼ等しい、項目５１に記載の方法。
（項目５５）
約１０秒未満の期間の間、Ｉ１よりも約１０％から約２００％までだけ高い診断充電電流ＩＤｉａｇを用いて前記バッテリを充電することと、該バッテリの前記電圧ＶＢａｔｔを検出することと、ＶＢａｔｔが約１．６０Ｖ以下である場合に該バッテリの充電を終了させることとをさらに含む、項目１−５１のうちのいずれか一項に記載の方法。
（項目５６）
約５秒未満の期間の間、Ｉ１よりも約３０％から約１００％までだけ高い診断充電電流ＩＤｉａｇを用いて前記バッテリを充電することと、該バッテリの前記電圧ＶＢａｔｔを検出することと、ＶＢａｔｔが約１．５５Ｖ以下である場合に該バッテリの充電を終了させることとをさらに含む、項目１−５１または５５のうちのいずれか一項に記載の方法。
（項目５７）
再充電可能銀亜鉛バッテリを検出する方法であって、該方法は、約６０秒間未満の期間の間、診断充電電流ＩＤｉａｇを用いてバッテリを充電することと、該バッテリの電圧ＶＢａｔｔを検出することと、ＶＢａｔｔが約１．６０Ｖ以下である場合に該バッテリの充電を終了させることとを含み、ＩＤｉａｇは、約２５ｍＡ以下である、方法。
（項目５８）
前記バッテリは、該バッテリの前記電圧ＶＢａｔｔを検出し、ＶＢａｔｔが約１．６０Ｖ以下である場合に電気信号を生成しつつ、約７秒以下の期間の間、ＩＤｉａｇを用いて充電され、ＩＤｉａｇは、約２０ｍＡから約２５ｍＡまで、または約１０ｍＡ以下である、項目５７に記載の方法。
（項目５９）
前記電気信号は、音声アラーム、視覚アラーム、振動アラーム、またはそれらの任意の組み合わせを起動する、項目５８に記載の方法。
（項目６０）
複数の電圧プラトーを有する再充電可能バッテリを充電する方法であって、該バッテリは、第１の逐次電圧プラトーの電圧ＶＰ１の約８０％未満であるＯＣＶを有し、
該方法は
充電バッテリの電圧が、ＶＢａｔｔよりも大きい該第１の逐次電圧プラトーＶＰ１に到達した後、約１２０分間以下の期間の間、実質的に一定である回復充電電流Ｉｒｅｃｏｖを用いて該バッテリを充電することと、
第１の充電電流Ｉ１を用いて該バッテリを充電することであって、該第１の充電電流Ｉ１は、該バッテリが電圧Ｖ１に充電されるまで実質的に一定である、ことと、
該バッテリの電圧が電圧Ｖ１に到達すると、該バッテリの該電圧が、約６秒間から約９００秒間までの期間の間、Ｖ１の約±２０％以下の偏差を伴うＶ１に維持されるように、該第１の充電電流Ｉ１を制御することと
を含み、
電圧Ｖ１は、ＶＰ１よりも高い電圧プラトーＶＰに対する自然分極ピークの電圧ＶＰＰよりも小さく、Ｖ１は、該電圧プラトーＶＰよりも大きい、方法。
（項目６１）
Ｉｒｅｃｏｖは、Ｉ１の約５％から約９０％までである、項目６０に記載の方法。
（項目６２）
充電バッテリの前記電圧ＶＢａｔｔが、ＶＢａｔｔよりも大きい前記第１の逐次電圧プラトーＶＰ１に到達した後、約３０分間以下の期間の間、実質的に一定である回復充電電流Ｉｒｅｃｏｖを用いて該バッテリを充電することと、
該バッテリが該バッテリの定格容量の約１００−１２０％のＳＯＣに充電されたときに、変調された第２の充電電流を停止することと、
充電電流Ｉ２を停止することであって、該充電電流が約５分間以下の期間の間、１．０ｍＡを下回るときに、停止することと
をさらに含み、
該電圧は、±１％の偏差を有し、電流アンペア数は、±２％の偏差を有し、温度測定精度は、±５℃以下の偏差を有し、計測時間は、±２％の偏差を有する、項目６１に記載の方法。
（項目６３）
約３０分間から約２時間までの期間の間、Ｉｒｅｃｏｖを用いて充電された後に、前記バッテリの前記電圧ＶＢａｔｔが、ＶＢａｔｔよりも大きい前記第１の逐次電圧プラトーＶＰ１に到達できない場合に、電気信号を生成することをさらに含む、項目６２に記載の方法。
（項目６４）
項目２−５３のうちのいずれか一項に記載の前記バッテリを充電することをさらに含む、項目６２に記載の方法。
（項目６５）
前記再充電可能バッテリは、ボタン電池、コイン電池、円筒電池、または角柱電池を備える、項目１−６４のうちのいずれか一項に記載の方法。
（項目６６）
前記第２の充電電流Ｉ２が終了すると、電気信号を生成することをさらに含む、項目２−６５のうちのいずれか一項に記載の方法。
（項目６７）
前記第２の充電電流Ｉ２が終了すると、視覚信号を起動すること、音声信号を起動すること、振動信号を起動すること、またはそれらの任意の組み合わせをさらに含む、項目６６に記載の方法。
（項目６８）
再充電可能バッテリを充電する方法であって、該再充電可能バッテリは、複数の電圧プラトー、およびその定格容量の５０％よりも大きい初期ＳＯＣを有し、該バッテリは、その最高電圧プラトー以下である電圧ＶＢａｔｔを有しており、
該方法は、
該バッテリが電圧Ｖ２に充電されるまで、実質的に一定の充電電流Ｉ２を用いて該バッテリを充電することと、
該バッテリの電圧がＶ２の約±２０％以下の偏差を伴うＶ２に維持されるように、充電電流Ｉ２を制御することと
を含み、
電圧Ｖ２は、電圧プラトーの電圧ＶＰよりも大きく、自然分極ピークの電圧ＶＰＰよりも小さい、方法。
（項目６９）
前記充電電流Ｉ２がＩｔｅｒに到達すると、Ｉ２を終了させることをさらに含み、Ｉｔｅｒは、前記バッテリがＶ２に充電されていた期間の間、Ｉ２の約８５％以下である、項目６８に記載の方法。
（項目７０）
前記充電電流Ｉ２がＩｔｅｒに到達すると、Ｉ２を終了させることをさらに含み、Ｉｔｅｒは、前記バッテリがＶ２に充電されていた前記期間の間、Ｉ２の約７５％以下である、項目６９に記載の方法。
（項目７１）
Ｖ２は、約２．０Ｖ以下である、項目６８に記載の方法。
（項目７２）
前記充電電流Ｉ２は、前記バッテリがＶ２に充電されているとき、約６ｍＡである、項目７１に記載の方法。
（項目７３）
前記充電電流Ｉ２が約４．５ｍＡであるとき、Ｉ２を終了させることをさらに含む、項目７２に記載の方法。
（項目７４）
１．６５Ｖ未満のＯＣＶを有する再充電可能な２．０Ｖ銀亜鉛バッテリを充電する方法であって、
該方法は、
１０ｍＡ以下のアンペア数を有する第１の充電電流Ｉ１を用いて該バッテリを充電することと、
いったん該バッテリが１．９０Ｖの電圧に充電されると、時間を計測することとと、
該バッテリの電圧が２．０３Ｖ以下に制限され、該第１の充電電流Ｉ１が約１０．０ｍＡ以下の最大アンペア数を有するように、該第１の充電電流Ｉ１を変調することと、
いったん２０分間が計測されると、該第１の充電電流Ｉ１を用いての該バッテリの該充電を停止することと、
第２の充電電流Ｉ２を用いて該バッテリを充電することであって、該充電電流Ｉ２は、該バッテリの電圧が２．０Ｖ以下に制限され、該第２の充電電流が約１０．０ｍＡ以下の最大アンペア数を有するように、変調される、ことと、
該変調された第２の充電電流Ｉ２を停止することであって、該充電電流のアンペア数が、６０秒間以下の連続期間の間、終了電流Ｉ２ｅｎｄのアンペア数未満であると、該停止することが行われ、該バッテリは、該バッテリの定格容量の約８０−１５０％のＳＯＣに充電され、ここで、
Ｉ２ｅｎｄ＝ＩＣｈｇ＋ＩＴｅｍｐ
であり、ＩＣｈｇは、充電補償電流であり、ＩＴｅｍｐは、温度補償電流であり、ＩＣｈｇ＝（Ｔ２×Ｉ１）／ＴＣｈｇであり、Ｔ２は、該充電電流が１．９０Ｖに到達すると始まり、該充電電流がＩ２未満の値に変調し始めると終了する、時間単位の積分時間であり、Ｔｃｈｇは、各々のバッテリサイズおよび構造について決定される電池時定数である、こと、
または、
充電電流Ｉ２を停止することであって、該充電電流が約５分間以下の期間の間、１．０ｍＡを下回ると停止する、ことと
を含み、
該電圧は、±１％の偏差を有し、電流アンペア数は、±２％の偏差を有し、温度測定精度は、±５℃以下の偏差を有し、計測時間は、±２％の偏差を有する、方法。
（項目７５）
温度を測定することをさらに含み、前記温度測定精度は、±２℃の偏差を有する、項目７４に記載の方法。
（項目７６）
前記バッテリの前記電圧は、充電前には約１．２５Ｖよりも大きい、項目７４または７５のいずれか一項に記載の方法。
（項目７７）
前記バッテリの前記電圧は、充電前には約１．２５Ｖ未満である、項目７４または７５のいずれか一項に記載の方法。
（項目７８）
少なくとも３０分間の期間の間、１．０ｍＡの回復充電電流Ｉｒｅｃｏｖを用いて前記バッテリを充電することと、
該バッテリが１．６０Ｖの電圧に充電されると、該回復充電電流Ｉｒｅｃｏｖを停止することと
をさらに含む、項目７７に記載の方法。
（項目７９）
１．６５Ｖよりも大きいＯＣＶを有する再充電可能な２．０Ｖ銀亜鉛バッテリを充電する方法であって、
該方法は、
変調された充電電流Ｉ２を用いて該バッテリを充電することであって、該充電電流Ｉ２は、該バッテリの電圧が２．０Ｖ以下（例えば、１．９８Ｖ）に制限され、該充電電流が約６．０ｍＡ以下の最大アンペア数Ｉｍａｘを有するように、変調される、ことと、
充電が開始した１５秒後から時間を計測することと、
時間が計測されている場合に、充電電流Ｉ２のアンペア数を測定することと、
時間が計測されている場合に、連続５秒間以上の期間の間、Ｉ２の該アンペア数がＩｍａｘであるならば、Ｉ２の該アンペア数が連続６０秒間の期間の間、Ｉ２ｅｎｄを下回ると、充電電流Ｉ２を停止することであって、Ｉ２ｅｎｄは、該バッテリがその定格容量の約１００％から１５０％までのＳＯＣに充電されるとき、温度依存性の終了充電電流レベルである、こと、
または、
いったん該バッテリが約１００％から１５０％までのＳＯＣに充電されると、時間が計測されている場合に、連続５秒間未満の期間の間、Ｉ２の該アンペア数がＩｍａｘであると、充電電流Ｉ２を停止することであって、該充電電流は、該バッテリの定格容量の５０％がカウントされるまで積分される、こと、
または、
該時間計測が完了した後に、約５分間以下の期間の間、Ｉ２の該アンペア数が１．０ｍＡを下回ると、充電電流Ｉ２を停止することと
含む、方法。
（項目８０）
放電中の再充電可能銀亜鉛バッテリを検出する方法であって、
該方法は、
バッテリ電圧ＶＢａｔｔが１．４Ｖから１．１５Ｖまでの間にあるときに、バッテリにおける単位時間当たりの平均バッテリ放電電圧の変化を測定することと、
該変化が、３０分間以下の期間の間、６０ｍＶ以上ではない場合に、電気信号を生成することと
を含む、方法。